(57)【要約】【課題】ハウジング内でスイッチ部品を一か所にまとめて配置せず、ハウジング内で集中配置し易い部分での分離配置を可能にして小型化とスリム化の実現、及び接点部での溶着回避性能を高めて、寿命延長を可能にしたスイッチ及び電子機器を提供することを目的とする。【解決手段】ハウジング１１０に支持されて一方と他方に揺動操作される操作子１２０と、前記操作子１２０が一方に揺動してオン操作されたときのオン操作に連動して前記ハウジング内で対向する可動片１８２と固定端子１８３との接点部１８６，１８７を接触させて電源をオンさせる電源スイッチ機構１８０と、前記電源スイッチ機構１８０のオン状態を保持し、且つ解除させる電源リセット機構１７０とを備え、前記電源リセット機構１７０を前記操作子１２０の揺動操作方向の一方に配置し、前記電源スイッチ機構１８０を前記操作子１２０の揺動操作方向の他方に配置してスイッチを構成する。【選択図】図６
2012048883.tif 000002
【特許請求の範囲】
【請求項１】
ハウジングに支持されて一方と他方に揺動操作される操作子と、
前記操作子が前記一方に揺動操作されると前記ハウジング内で対向する可動片と固定端子との接点部を接触させる電源スイッチ機構と、
前記操作子が前記他方に揺動操作されると揺動操作方向に前記操作子を付勢する復帰バネと、
前記操作子が前記一方に揺動操作されることに従い前記復帰バネを反付勢方向に規制して前記可動片と固定端子との前記接点部の接触状態を保持する保持部と前記保持部によって保持された前記接触状態を解除させる解除部とで構成される電源保持解除機構と、
を備えたスイッチであって、
前記電源スイッチ機構と前記復帰バネと電源保持解除機構とを前記ハウジングの内部空間に配置し、さらに、
前記電源保持解除機構を前記操作子の揺動操作方向の前記一方側に配置し、前記電源スイッチ機構を前記操作子の揺動操作方向の前記他方側に配置して構成したスイッチ。
【請求項２】
前記復帰バネと前記電源保持解除機構の前記保持部と前記解除部とを積層して構成し、
前記電源スイッチ機構の可動片を前記操作子の操作方向に折曲した折曲形状で該操作子の操作方向に回動自由に支持させて配置し、
前記操作子が操作される操作方向の中央部と前記可動片との間を該操作子の前記揺動操作に基づいて反転する弾性体により連結して構成した
請求項１に記載のスイッチ。
【請求項３】
前記電源スイッチ機構は、
前記可動片の接点部が前記固定端子の接点部に接触する初期接触時に、該接点部の接離方向と略直交する方向に前記可動片を滑り移動させる変位支持部を備えた
請求項１または２に記載のスイッチ。
【請求項４】
前記操作子には、
該操作子が前記他方に揺動操作される該操作子の操作力を受けて前記可動片の接点部が前記固定端子の接点部より離間される方向に前記可動片を強制加圧する強制加圧部を備えて構成した
請求項１、２または３に記載のスイッチ。
【請求項５】
請求項１〜４のいずれか１項に記載のスイッチを備えた電子機器。
【発明の詳細な説明】
【技術分野】
【０００１】
この発明は、例えば複写機、パーソナルコンピュータ等の電子機器を利用者が利用停止するときに制御部がデータ処理を完結してから電源をオフさせるリセット機能を備えたスイッチ及び電子機器に関する。
【背景技術】
【０００２】
一般に、データ保護性能を持たせるスイッチとして、例えばシーソー状に操作される操作子を利用者が手動で操作することにより、スイッチ内部で接離可能に対向されている接点部を接触させてスイッチの電源をオンしている。その後、制御部が出力したリセット信号によって自動的に操作子を反転させて電源オフ状態に切り替わるようにしたリセット機構付きスイッチが提案されている（例えば特許文献１参照）。
【０００３】
しかし、この種のリセット機構付きスイッチは、ハウジングの内部に可動片と固定端子との接点部を接離させて電源をオンオフさせる電源スイッチ機構と、電源のオン保持状態をソレノイドにより解除させる電源リセット機構とが内蔵されている。
【０００４】
具体的には１つの電源リセット機構と、その両側に２つの電源スイッチ機構をハウジング内に並列して配置している。このため、ハウジング内で３列に並列する配置スペースを要し、並列数に応じてスイッチの短手方向（幅方向）の寸法が大きくなっていた。また、スイッチの長手方向においても長尺の可動片をハウジングの内部に回動させてオンオフ可能に配置することから長手方向の配置スペースを長くとる必要があった。この結果、スイッチ部品を効率よく収納するように構成しても現状ではスイッチの小型化に限界が生じ、さらなるスイッチのスリム化や小型化を図ることができなかった。
【０００５】
さらに、この種のスイッチは電源スイッチとして大きな電流を開閉する用途に用いられるが、この大きな電流を開閉する際に接点部で溶着が起こりやすくなっていた。このため、可動片を復帰させるバネの付勢力を高めて接点部間を確実に離間させることが考えられるが、バネの付勢力を高めるとスイッチの操作感触が悪くなり、またバネの高付勢圧を受けるスイッチ機構部での磨耗を早めて寿命が短くなる問題を有していた。
【先行技術文献】
【特許文献】
【０００６】
【特許文献１】特許第３９０７７５９号
【発明の概要】
【発明が解決しようとする課題】
【０００７】
このような課題を解決するため、この発明はハウジング内でスイッチ部品を一か所にまとめて配置せず、ハウジング内で集中配置し易い部分での分離配置を可能にして小型化とスリム化の実現、及び接点部での溶着回避性能を高めて、寿命延長を可能にしたスイッチ及び電子機器を提供することを目的とする。
【課題を解決するための手段】
【０００８】
この発明は、ハウジングに支持されて一方と他方に揺動操作される操作子と、前記操作子が前記一方に揺動操作されると前記ハウジング内で対向する可動片と固定端子との接点部を接触させる電源スイッチ機構と、前記操作子が前記他方に揺動操作されると揺動操作方向に前記操作子を付勢する復帰バネと、前記操作子が前記一方に揺動操作されることに従い前記復帰バネを反付勢方向に規制して前記可動片と固定端子との前記接点部の接触状態を保持する保持部と前記保持部によって保持された前記接触状態を解除させる解除部とで構成される電源保持解除機構とを備えたスイッチであって、前記電源スイッチ機構と前記復帰バネと電源保持解除機構とを前記ハウジングの内部空間に配置し、さらに、前記電源保持解除機構を前記操作子の揺動操作方向の前記一方側に配置し、前記電源スイッチ機構を前記操作子の揺動操作方向の前記他方側に配置して構成したスイッチであることを特徴とする。
【０００９】
この発明によれば、操作子が一方に揺動したときの揺動操作側に電源保持解除機構を配置しているため、操作子を一方に揺動操作した際に該操作子が直接、前記電源保持解除機構の保持部を保持させる構成となっている。このため、操作子を一方に揺動操作したときの揺動操作力が直接保持部に加わり、直接保持部を操作する構成が可能になる。さらに、電源スイッチ機構と電源保持解除機構とがハウジング内で操作子の揺動操作方向の一方と他方に分けて配置することができるため、これらの機構をハウジングの中央部に集中させない分散させた配置構成にできる。このため、ハウジングの幅方向を狭めてスリム化したスイッチの製作が可能になる。
【００１０】
この発明の態様として、前記復帰バネと前記電源保持解除機構の前記保持部と前記解除部とを積層して構成し、前記電源スイッチ機構の可動片を前記操作子の操作方向に折曲した折曲形状で該操作子の操作方向に回動自由に支持させて配置し、前記操作子が操作される操作方向の中央部と前記可動片との間を該操作子の前記揺動操作に基づいて反転する弾性体により連結して構成することができる。
【００１１】
この発明によると、電源保持解除機構の構成部品を積層して構成できるため該電源保持解除機構の平面的な配置スペースを小さくできる。また、電源スイッチ機構側では可動片を例えばＬ形状などに折曲して配置することができる。このため、該可動片の回動領域は略半径長さの回動軌跡となり、該可動片の占有スペースも小さくすることが可能となる。これにより、可動片自体をコンパクトに内蔵できるため、さらにスイッチの小型化を図ることができる。
【００１２】
またこの発明の態様として、前記電源スイッチ機構は、前記可動片の接点部が前記固定端子の接点部に接触する初期接触時に、該接点部の接離方向と略直交する方向に前記可動片を滑り移動させる変位支持部を備えて構成することができる。
【００１３】
この発明によると、利用者が操作子を一方の揺動操作方向に押すと、その揺動操作時に可動片を滑り移動させて可動片の接点部を固定端子の接点部上に摺接させることができる。このため、接点部ではワイピング動作が得られ、溶着を事前に回避する接点構成となり、接点性能を高めた信頼性の高いスイッチの操作が得られる。
【００１４】
またこの発明の態様として、前記操作子には、該操作子が前記他方に揺動操作される該操作子の操作力を受けて前記可動片の接点部が前記固定端子の接点部より離間される方向に前記可動片を強制加圧する強制加圧部を備えて構成することができる。
【００１５】
この発明によると、仮に接点部に溶着が発生しても、利用者が操作子を他方の揺動操作方向に強めに押すと、その操作力は強制加圧部を介して可動片と固定端子との接点部間を離間させる方向の力が可動片に加わる。このため、手動操作力により接点部に離間させる力を与えて溶着した接点部を確実に離間させることができる。
【００１６】
このように構成されたスイッチは、小型のスイッチとして例えば、複写機、パーソナルコンピュータ等の制御部を備えた各種の電子機器に広く適用することができる。
【発明の効果】
【００１７】
この発明によれば、ハウジング内でスイッチ部品を一か所にまとめて配置せず、ハウジング内で集中配置し易い部分での分離配置を可能にして小型化とスリム化の実現、及び接点部での溶着回避性能を高めて、寿命延長を可能にしたスイッチ及び電子機器を提供することができる。
【図面の簡単な説明】
【００１８】
【図１】実施例１のスイッチの外観斜視図。
【図２】実施例１のスイッチを斜め上方から見た分解斜視図。
【図３】実施例１のスイッチを斜め下方から見た分解斜視図。
【図４】実施例１の電源スイッチ機構を示す要部斜視図。
【図５】実施例１の信号スイッチ機構を示す要部斜視図。
【図６】実施例１のスイッチのオンオフ動作状態を示す縦断面図。
【図７】実施例１の電子機器におけるデータ処理状態を示す制御ブロック図。
【図８】実施例１のスイッチのオンオフ動作状態を示すタイムチャート。
【図９】実施例２のスイッチの外観斜視図。
【図１０】実施例２のスイッチを斜め前方から見た分解斜視図。
【図１１】実施例２のスイッチを斜め後方から見た分解斜視図。
【図１２】実施例２の電源スイッチ機構を一部断面して示す要部斜視図。
【図１３】実施例２の電源スイッチ機構の開閉状態を示す要部斜視図。
【図１４】実施例２の可動片のワイピング動作を断面して示すスイッチの説明図。
【図１５】実施例２の接点部の溶着解離動作を断面して示すスイッチの説明図。
【発明を実施するための形態】
【００１９】
この発明の一実施例を以下図面に基づいて説明する。
【実施例１】
【００２０】
図面はリセット機能を備えたスイッチを示し、図１（Ａ）は一側から見たスイッチ１００の外観斜視図を示し、図１（Ｂ）は他側から見たスイッチ１００の外観斜視図を示している。図２は斜め上方から見たスイッチ１００の分解斜視図を示し、図３は斜め下方から見たスイッチ１００の分解斜視図を示している。
【００２１】
このリセット機能を備えたスイッチ１００は、ハウジング１１０に、操作子１２０と、回転操作体１３０と、電源スイッチ機構１４０と、信号スイッチ機構１５０と、復帰バネ１６０と、電源リセット機構１７０とを組込んで構成される。
【００２２】
ハウジング１１０は、上面を開放した箱形状を有し、その上部側に上述の構成部品１３０，１４０，１５０，１６０を組込む凹形状の空洞部１１１を有し、さらに底部側には電源リセット機構１７０を下方から組込む底部取付部１１２と端子仕切部１１３とを有している。そして、上部側に開口されている空洞部１１１への部品組込み後に、該空洞部１１１の開口面に対して平面的に閉鎖する操作子１２０を回動自在に取付けている。
【００２３】
さらに、このハウジング１１０の狭幅の両外側面にはスイッチ１００を嵌め込んで取り付けるために突出させた抜止取付用の弾性係止片１１４を有している。また、このハウジング１１０の広幅外側面の両側中央部には後述する操作子１２０を回動可能に支持するための枢支孔１１５を有している。
【００２４】
上述の操作子１２０は長方体の底面を開放した箱形状に設けられ、その上面を指先で押下するのに適した緩やかな凹状円弧面にした押下操作面１２１としている。さらに、操作子１２０の広幅外側面の両側中央部には支軸１２２を突設している。これらの支軸１２２は上述したハウジング１１０の枢支孔１１５に回動自由に枢支されて、両側の枢支部分を回動支点に操作子１２０はハウジング１１０にシーソー状に回動自由に取り付けられている。
【００２５】
このように操作子１２０はハウジング１１０内でシーソー状に回動自由に枢支されて揺動し、この揺動操作方向の一方Ｆ１を電源オン側に設定し、他方Ｆ２を電源オフ側に設定している。
【００２６】
さらに、この操作子１２０は底面の開放された内部空間に図３に示すように、前記両側の支軸１２２を結ぶ線上において、その一側に連結軸１２３を垂設し、他側に後述する回転操作体１３０の両側を枢支する枢支孔１２４を形成している。さらに、内部空間の一側には後述する復帰バネ規制片１３４を押下する押子１２５（図６参照）を垂設している。
【００２７】
上述の回転操作体１３０は、電源をオンオフ操作する操作部材として備えられ、枢支軸１３１と、第１スイッチ操作部１３２と、第２スイッチ操作部１３３と、復帰バネ規制片１３４とから構成される。
【００２８】
枢支軸１３１は、操作子１２０の両側内面に形成されている枢支孔１２４に回動自由に枢支されている。このため、回転操作体１３０は操作子１２０の内部で該操作子１２０の回動とは別々に回動自由に配置されている。
【００２９】
つまり、操作子１２０が回動して一方Ｆ１にオン操作されるとき、押子１２５により下向きに押下されて該操作子１２０から操作力を受け、他方Ｆ２にオフ操作されるとき、非接触で該操作子１２０から操作力を受けない構成となっている。
【００３０】
さらに、回転操作体１３０の両側の枢支軸１３１間を結ぶ下面両側には第１スイッチ操作部１３２と第２スイッチ操作部１３３を有している。第１スイッチ操作部１３２は後述する第１電源スイッチ機構１８０の上部に備えられる第１スプリング連結体１８１の上部を嵌合保持する。また、第２スイッチ操作部１３３は第２電源スイッチ機構１９０の上部に備えられる第２スプリング連結体１９１の上部を嵌合保持する。
【００３１】
さらに、回転操作体１３０には平板状の復帰バネ規制片１３４を略水平に突設しており、この復帰バネ規制片１３４の下面で上向きに付勢された後述する可動磁性片１７２を下向きに押下する構成としている。
【００３２】
電源スイッチ機構１４０は、第１電源スイッチ機構１８０と第２電源スイッチ機構１９０との２回路に対応して並列される２連のスイッチ構成を有している。
【００３３】
上述の第１電源スイッチ機構１８０は、第１スプリング連結体１８１と、可動片１８２と、固定端子１８３と、共通固定端子１８４とを備えて構成される。
【００３４】
第１スプリング連結体１８１は、細径のコイルスプリングを用いる。この第１スプリング連結体１８１は上端部を上述の第１スイッチ操作部１３２に嵌合させて連結している。下端部は後述する可動片１８２の上向きに突出する嵌合突起１８５を該コイルスプリングの孔内に差し込んで嵌合させることにより可動片１８２に抜止めして連結している。この第１スプリング連結体１８１は組み立てられることによって軸方向中央部を一方に若干屈曲させたくの字形となる。
【００３５】
上述の可動片１８２は導電性金属板をＬ形状に屈曲し、該Ｌ形の屈曲部分を回動支点部として後述する共通固定端子１８４に回動可能に支持されている。そして、可動片１８２の中間部に上述した嵌合突起１８５を切り起して形成し、Ｌ形水平片側の先端部に導電性の接点部１８６を固着している。
【００３６】
固定端子１８３は導電性金属板を逆Ｌ形状に屈曲し、その上面に導電性の接点部１８７を固着している。そして、該固定端子１８３の逆Ｌ形垂直片側をハウジング１１０の端子取付孔１１６に差し込んで取り付ける。この際、該接点部１８７はハウジング１１０の底面に上向きに配置され、その上方の可動片１８２の接点部１８６と対向させている。
【００３７】
同じく、共通固定端子１８４は導電性金属板を逆Ｌ形状に屈曲し、その上面に可動片支持部１８８を切り起こして形成している。そして、逆Ｌ形垂直片側をハウジング１１０の端子取付孔１１６に差し込んで取り付ける。
【００３８】
ここで第１スプリング連結体１８１は、くの字形に第１スイッチ操作部１３２と可動片１８２との上下間に連結されており、第１スイッチ操作部１３２を形成している回転操作体１３０が回動することにより、その下方の回動軌跡上で第１スプリング連結体１８１を支持している上部での向きが一方と他方では異なり、その変位する角度差を生じさせることで下方の可動片１８２に対するスイッチ操作力を与えるようにしている。
【００３９】
また、第１スプリング連結体１８１を用いることにより、弾性に富み、軸方向だけでなく、その交差方向に対しても柔軟な屈曲性を有し、スイッチのように繰り返しオンオフさせるのに必要な弾性変形を容易に得ることができる。したがって、回転操作体１３０の回動に追従可能な柔軟性に富む第１スプリング連結体１８１を用いることにより、上述の角度差に容易に追従して下方の可動片１８２をオン方向とオフ方向に円滑に操作することができる。
【００４０】
第２電源スイッチ機構１９０は、前記第１電源スイッチ機構１８０と同構成を有している。さらに、１つの操作子１２０の操作力を第１電源スイッチ機構１８０と第２電源スイッチ機構１９０が同時に受ける並列配置構成である。このため、第２電源スイッチ機構１９０は第１電源スイッチ機構１８０と同機能を実行する。このため、第１電源スイッチ機構１８０の各部品と同一の部品を配置構成することから、第１スプリング連結体１９１と可動片１９２と固定端子１９３と、共通固定端子１９４と各接点部１９６，１９７を備えた第２電源スイッチ機構１９０の説明は既に第１電源スイッチ機構１８０で述べているので省略する。
【００４１】
信号スイッチ機構１５０は、第３スプリング連結体１５１と信号可動片１５２と信号共通固定端子１５３と信号固定端子１５４とから構成される。
【００４２】
第３スプリング連結体１５１は、前記した第１スプリング連結体１８１と同様に構成され、細径のコイルスプリングを用いる。この第３スプリング連結体１５１は上端部の該スプリング孔を操作子１２０の下面に垂設されている連結軸１２３に嵌合させて連結し、下端部の該スプリング孔を後述する信号可動片１５２の上端部に上向きに突出されている嵌合突起１５５に嵌合させて信号可動片１５２に連結している。この場合も、第３スプリング連結体１５１は組み立てられることによって軸方向中央部を一方に若干屈曲させたくの字形に構成される。
【００４３】
上述の信号可動片１５２は導電性金属板をＬ形状に屈曲し、そのＬ形の屈曲部分を回動支点部として後述する信号共通固定端子１５３に回動可能に支持されている。そして、信号可動片１５２の中間部に上述した嵌合突起１５５を有し、Ｌ形水平片側の先端を接点部分としている。なお、この信号スイッチ機構１５０の構成に際しては、信号用の微弱電流を流すため電源スイッチ機構１３０とは異なり、大きな接点部は要しない。
【００４４】
信号共通固定端子１５３は導電性金属板を逆Ｌ形状に屈曲し、その上面に可動片支持部１５６を切り起こして形成し、ハウジング１１０の端子取付孔１１７に挿通させて取り付けられる。
【００４５】
同じく、信号固定端子１５４は導電性金属板を逆Ｌ形状に屈曲し、その上面が接点部分となりハウジング１１０の端子取付孔１１７に挿通させて取り付けられる。
【００４６】
これらの第１電源スイッチ機構１８０と第２電源スイッチ機構１９０とはハウジング１１０内において図４に示すように、第１仕切りプレート１１８により仕切られている。また、第２電源スイッチ機構１９０と信号スイッチ機構１５０とはハウジング１１０内において図４に示すように、第２仕切りプレート１１９により仕切られている。このように各スイッチ機構１８０，１９０，１５０はハウジング１１０の内壁と各仕切りプレート１１８，１１９とによって１つの区画されたスイッチ操作空間を確保している。
【００４７】
さらに、これらの仕切りプレート１１８，１１９は上面が操作子１２０の一方Ｆ１と他方Ｆ２での回動を規制するストッパ面に構成されている。このうち、該操作子１２０の一方Ｆ１と対向する第１仕切りプレート１１８の上面にオン回動を規制するオンストッパ面１１８ａを傾斜形成し、操作子１２０の他方Ｆ２と対向する第１仕切りプレート１１８の上面にオフ回動を規制するオフストッパ面１１８ｂを傾斜形成している。
【００４８】
同じく、操作子１２０の一方Ｆ１と対向する第２仕切りプレート１１９の上面にオフ回動を規制するオフストッパ面１１９ａを傾斜形成し、操作子１２０の他方Ｆ２と対向する第２仕切りプレート１１９の上面にオン回動を規制するオンストッパ面１１９ｂを傾斜形成している。
【００４９】
復帰バネ１６０は、コイルスプリングにより構成される。この復帰バネ１６０は通常、図６（Ａ）に示すように、伸長して回転操作体１３０及び操作子１２０を押し上げてオフ方向に回動させた状態にある。
【００５０】
上述の電源リセット機構１７０は、ソレノイド１７１と可動磁性片１７２と永久磁石１７３と固定磁性片（ヨーク）１７３ａとリセット信号入力端子１７４とソレノイドケース１７５とを備えて構成される。
【００５１】
ソレノイド１７１はコイルを巻回して内部に上下方向に開口する挿通部を備え、この挿通部に後述する可動磁性片１７２を上下方向に挿通可能に構成している。さらに、挿通した可動磁性片１７２の内端部側に、永久磁石１７３と固定磁性片１７３ａとリセット信号入力端子１７４とが備えられている。
【００５２】
上述の可動磁性片１７２はＴ字形を有し、このＴ字形部分の下部側が平行する２列でソレノイド１７１の挿通部に挿通自由に設けられ、この可動磁性片１７２のＴ字形部分とソレノイド１７１のコイル側上端面との上下間に図６に示すように、前記復帰バネ１６０を上下方向に圧縮させた状態に介在させて配置している。
【００５３】
そして、可動磁性片１７２が下向きの押下力を受けた場合に復帰バネ１６０の付勢力に抗して下動し、下端まで挿通されると、その下方に対向する直方体の永久磁石１７３とその永久磁石１７３を挟んで両側に配設されるＵ字形の固定磁性片１７３ａとにより可動磁性片１７２は吸着保持される。この吸着保持作用により電源オン状態が保持される。この電源オン状態でソレノイド１７１に対して磁気解除作用を与えると、その吸着を解除して電源オフする解除機能を備えている。
【００５４】
図６において、上段に配置された（Ａ）（Ｃ）（Ｅ）はスイッチ１００を一側面から見た第１電源スイッチ機構１８０のオンオフ動作状態を示し、下段に配置された（Ｂ）（Ｄ）（Ｆ）はスイッチ１００を他側面から見た信号スイッチ機構１５０のオンオフ動作状態を示している。これらのうち、左側に配置された（Ａ）（Ｂ）はオフ状態を、中間部に配置された（Ｃ）（Ｄ）はオン状態を、右側に配置された（Ｅ）（Ｆ）は操作子のみオフされている状態を示している。
【００５５】
通常は、図４及び図６（Ａ）に示すように、第１電源スイッチ機構１８０では電源スイッチオフ状態で復帰バネ１６０が伸長し、この復帰バネ１６０に付勢された可動磁性片１７２の上端部が復帰バネ規制片１３４を押し上げ、さらに押子１２５を介して操作子１２０を押し上げてオフ位置に付勢支持した状態にある。このとき、回転操作体１３０はオフ方向に回転した状態にある。このオフ状態では第１スプリング連結体１８１が弓なりに屈曲し、可動片１８２はオフ方向に回動し、該可動片１８２の接点部１８６が固定端子１８３の接点部１８７と離間した電源オフ状態にある。
【００５６】
また、信号スイッチ機構１５０では、図５及び図６（Ｂ）に示すように、操作子１２０がオフ位置のとき、前記第１スプリング連結体１８１と逆向きに第３スプリング連結体１５１が弓なりに屈曲し、信号可動片１５２を信号固定端子１５４に接触させている。この信号スイッチ機構１５０では信号可動片１５２と信号固定端子１５４とが接触した導通状態をオフに設定し、離間した状態をオンに設定している。
【００５７】
このように構成されたスイッチ１００がオン操作された場合、図６（Ｃ）に示すように、操作子１２０がオン方向に押下されると、この操作子１２０の押子１２５が復帰バネ規制片１３４を押し下げ、さらに可動磁性片１７２を復帰バネ１６０の付勢力に抗して押し下げる。これにより、可動磁性片１７２は下動し、ソレノイド１７１の操作部に挿通されて、その下方に対向する永久磁石１７３の磁気吸引作用を受けて吸着される。このとき、復帰バネ１６０は圧縮されているため、その圧縮状態のまま保持される。また、この操作子１２０をオン操作した際に第１電源スイッチ機構１８０の第１スプリング連結体１８１の軸方向中央部が逆向きに反り返り、その反力で可動片１８２が回動し、接点部１８６，１８７を接触させて電源をオンする。
【００５８】
さらに、ハウジング１１０内において、電源リセット機構１７０は操作子１２０の揺動操作方向の一方Ｆ１であるオン側に配置される。第１電源スイッチ機構１８０は操作子１２０の揺動操作方向の他方Ｆ２であるオフ側に配置されている。このため、操作子１２０をオン側に操作した際は、該操作子１２０の操作方向で前記電源リセット機構１７０のソレノイド１７１に磁性片１７２を吸着保持させてロックする構成となっている。このため、操作子１２０のオン操作力は直接電源リセット機構１７０に加わる構成となっている。
【００５９】
また、第１電源スイッチ機構１８０と電源リセット機構１７０とをハウジング１１０内で操作子１２０のオン側とオフ側、つまり操作子１２０の揺動操作方向の一方Ｆ１と他方Ｆ２に分けて配置することができるため、これらの機構をハウジング１１０の中央部に集中させない分散させた配置構成にできる。このため、ハウジング１１０の幅方向を狭めてスリム化したスイッチ１００を構成できる。
【００６０】
なお、第２電源スイッチ機構１９０も第１電源スイッチ機構１８０の動きと同じ動きとなり、同期してオン操作される。
【００６１】
一方、第１電源スイッチ機構１８０及び第２電源スイッチ機構１９０と略同時に信号スイッチ機構１５０もオンする。この信号スイッチ機構１５０は、図６（Ｄ）に示すように、操作子１２０のオン方向の回動に伴って、前記第１スプリング連結体１８１と逆向きに第３スプリング連結体１５１が弓なりに反り返り、信号可動片１５２を信号固定端子１５４と離間させて信号スイッチ機構１５０をオンにする。
【００６２】
次に、このスイッチ１００をオフする際は、図６（Ｅ）に示すように、操作子１２０をオフ方向に押下操作する。このとき、操作子１２０はオフ方向に回動するが、第１電源スイッチ機構１８０側にあっては復帰バネ１６０の付勢力を受けないため操作子１２０のみの単独の回動、つまり空回りとなる。
【００６３】
したがって、回転操作体１３０は回動せず、該回転操作体１３０と一体の復帰バネ規制片１３４は可動磁性片１７２を押下した状態を保ち、電源スイッチ機構１４０は制御部からリセット信号が入力されるまでオン状態が保持される。
【００６４】
一方、信号スイッチ機構１５０側にあっては、図６（Ｆ）に示すように、操作子１２０のオフ方向の回動に伴って第３スプリング連結体１５１が弓なりに反り返って反転し、これに伴い信号可動片１５２は回動して再び信号固定端子１５４に接触する。このため、信号スイッチ機構１５０は操作子１２０の動きに伴ってオンオフ操作される。
【００６５】
この信号スイッチ機構１５０がオフされると、このオフ信号を受けた図示しない制御部からのリセット信号待ちとなる。そして、ハードディスクに記憶処理させる制御データの記憶処理が完結した時点で図６（Ｅ）の第１電源スイッチ機構１８０がオン状態から再び元の図６（Ａ）に示す電源オフ状態に戻る。
【００６６】
次に、このスイッチ１００を備えた電子機器７００のデータ処理動作を図７の制御ブロック図を参照して説明する。  
電子機器７００は、前記スイッチ１００がオンオフ操作可能な位置に配設され、内部にＣＰＵ７１０と、ＨＤＤ（ハードディスク）７２０と、ＲＡＭ７３０とが設けられている。
【００６７】
スイッチ１００の操作子１２０がオン操作されると、その操作力を受けて回動操作体１３０はオン方向に回動し、これに基づき電源スイッチ機構１４０は接点部１８６，１８７、１９６，１９７を接触させてスイッチ１００をオン状態とすることで電子機器７００の電源７４０をオンにする。このようにして電子機器７００が稼動されている状態では、ＣＰＵ７１０が電子機器７００の処理データをＲＡＭ７３０に記憶させている。
【００６８】
この電子機器７００の利用停止に際して利用者がスイッチ１００の操作子１２０をオフ方向に操作すると、スイッチ１００の信号スイッチ機構１５０から利用オフ信号がＣＰＵ７１０に入力される。これに基づいてＣＰＵ７１０はデータ処理が完結するまで電源オン状態を保持し、電源リセット機構１７０に電源オフ信号を出力させない。このとき、電源オン状態で、ＣＰＵ７１０はまずＲＡＭ７３０に記憶されているデータを読み出し、このデータを全てＨＤＤ７２０に移し替えて記憶させる。
【００６９】
このＨＤＤ７２０へのデータの移し替えが完結すると、ＣＰＵ７１０はデータの保護を優先し、確保できたことによりスイッチ１００の電源リセット機構１７０に対して電源オフ信号を出力する。これに基づいてスイッチ１００には永久磁石１７３の磁力より大きい電磁解除力がソレノイド１７１に与えられ、該ソレノイド１７１は永久磁石１７３及び固定磁性片１７３ａに吸着されていた可動磁性片１７２の規制を解除し、可動磁性片１７２は自由状態となり、復帰バネ１６０が伸長する付勢力を受けて可動磁性片１７２は回動操作体１３０を押し上げ、操作子１２０をオフ位置に回動させるとともに電源スイッチ機構１４０の接点部１８６，１８７、１９６，１９７を離間させてゃくできる。と、電源をオフさせる。このようにして、操作子１２０がオフ操作された後はＣＰＵ７１０がデータ処理の完結を確認したことに基づいて自動的に電源をオフする。
【００７０】
さらに、このスイッチ１００のリセット動作を図８のタイムチャートを参照して説明する。  
利用者が操作子１２０を操作していない待機状態では信号スイッチ機構１５０は微弱電流を通電させてオフ信号を出力している。これに対し、電源スイッチ機構１４０の第１電源スイッチ機構１８０及び第２電源スイッチ機構１９０は非通電のオフ状態を維持している。
【００７１】
その後、利用者が操作子１２０をオン操作すると、信号スイッチ機構１５０は接点部が離れ、非通電を検知してオンとなり、電源スイッチ機構１４０は接点部が接触して通電し、電源オンとなる。また、オン状態なので電源リセット機構１７０のソレノイド１７１は、該スイッチ１００が備えられている電子機器７００、例えば複写機やパーソナルコンピュータ等の制御部からリセット信号が入力されるまでオン状態を維持する。
【００７２】
スイッチ１００がオンされて電子機器が利用された後、利用者が電子機器７００の利用停止に伴ってスイッチ１００の操作子１２０をオフ操作すると、その時点で信号スイッチ機構１５０はオフされてオフ信号が出力される。このオフ出力を電子機器７００の制御部（ＣＰＵ）７１０が検出すると、それまでの処理データをハードディスクに記憶させる書き込みを実行する。
【００７３】
書き込みが完結すると、制御部からリセット信号が出力され、永久磁石１７３の吸着力より大きい電磁解除力がソレノイド１７１に与えられる。この解除に基づいて復帰バネ１６０は伸長し、この伸長した付勢力に基づいて電源スイッチ機構１４０に対する解除操作がなされる。さらに、これに連動して回転操作体１３０及び操作子１２０は元のオフ位置に戻る。
【００７４】
以上説明したように、操作子をオン操作すると、電源スイッチ機構はオンされる。その後、電源をオフ操作するが電源をオフ操作しても、電源スイッチ機構は電源リセットの信号が入力されるまではオン状態を保つため直ちにオフしない。この間にハードディスクへ必要なデータが書き込まれ、データ処理が完結すると電源を自動的にオフする。
【００７５】
ことに、操作子を一度オフ操作した後は、復帰バネの付勢力を規制して操作子に復帰バネの付勢力が掛からなくなるため、操作子は空回りする。このため、オフ操作後に操作子を再度、オンオフ操作しても、その再オンオフ操作力は空回りして電源スイッチ機構の接点部に伝達されない。したがって、操作子を最初にオフ操作した後は、操作子をその後に不用意に再度オンオフ操作しても、何ら支障はない。さらに、このスイッチを電子機器に使用した場合は信頼性の高いデータ管理ができる。
【００７６】
さらに、スイッチの内部構成に際しては、電源スイッチ機構１４０及び信号スイッチ機構１５０と、電源リセット機構１７０とがハウジング１１０内で一方Ｆ１と他方Ｆ２の操作方向に分けられているため、これらの機構をハウジング１１０の中央部に集中させない分散させた配置構成にできる。このため、ハウジングの幅方向を狭めてスイッチをスリム化して製作することができる。
【００７７】
さらに、電源リセット機構１７０側では構成部品を積層して構成できるためハウジング１１０の内部でスイッチ部品が並列しなくなり、スイッチの操作面積が小さいコンパクトな配置構成が可能となる。このため、確実にスイッチの小型化が可能になる。
【００７８】
また、電源スイッチ機構１４０や信号スイッチ機構１５０側では可動片１８２，１９２を例えばＬ形状などに折曲して配置するため、直線的な可動片に比べて該可動片１８２，１９２の回動領域は略半径長さの回動軌跡となり、該可動片の回動占有スペースも小さくなる。これにより、ハウジング内で可動片自体をコンパクトに内蔵できるため、ハウジング１１０の縮小化が図れ、より一層スイッチの小型化を図ることができる。
【実施例２】
【００７９】
図面はリセット機能を備えたスイッチを示している。図９（Ａ）は一側から見たスイッチ２００の外観斜視図を示し、図９（Ｂ）は他側から見たスイッチ２００の外観斜視図を示している。図１０は一側から見たスイッチ２００の分解斜視図を示し、図１１は他側から見たスイッチ２００の分解斜視図を示している。
【００８０】
このリセット機能を備えたスイッチ２００は、ハウジング２１０に、操作子２２０と、電源スイッチ機構２４０と、復帰バネ２６０と、電源リセット機構２７０とを組込んで構成される。
【００８１】
ハウジング２１０は、上面を開放した箱形状を有し、その上部側に上述の構成部品２４０，２６０を組込む凹形状の空洞部２１１を有し、さらに底部側には電源リセット機構２７０を下方から組込む底部取付部２１２と端子仕切部２１３とを有している。そして、上部側に開口されている空洞部２１１への部品組込み後に、該空洞部２１１の開口面に対して平面的に閉鎖する操作子２２０を回動自在に取付けている。
【００８２】
さらに、このハウジング２１０の狭幅の両外側面にはスイッチ２００を嵌め込んで取り付けるために突出させた抜止取付用の弾性係止片２１４を有している。また、このハウジング２１０の広幅外側面の両側中央部には後述する操作子２２０を回動可能に支持するための枢支孔２１５を有している。
【００８３】
上述の操作子２２０は長方体の底面を開放した箱形状に設けられ、その上面を指先で押下するのに適した緩やかな凹状円弧面にした押下操作面２２１としている。さらに、操作子２２０の広幅外側面の両側中央部には支軸２２２を突設している。これらの支軸２２２は上述したハウジング２１０の枢支孔２１５に回動自由に枢支されて、両側の枢支部分を回動支点に操作子２２０はハウジング２１０にシーソー状に回動自由に取り付けられている。
【００８４】
この操作子２２０は底面の開放された内部空間の一側に下向きに突出する押子２２５（図１３参照）を垂設している。この押子２２５の下端部で上向きに付勢された後述する可動磁性片２７２の上面を下向きに押下する構成としている。
【００８５】
さらに、操作子２２０は回動して電源をオンオフ操作する操作部材として備えられ、該操作子２２０の下面に、第１スイッチ操作部２３１と、第２スイッチ操作部２３２と、強制加圧片２３３とが備えられている。
【００８６】
操作子２２０の両側の支軸２２２間を結ぶ下面両側に第１スイッチ操作部２３１と第２スイッチ操作部２３２を有している。第１スイッチ操作部２３１は後述する第１電源スイッチ機構２８０の上部に備えられる第１スプリング連結体２８１の上部を嵌合保持する円形孔を有している。また、第２スイッチ操作部２３２は後述する第２電源スイッチ機構２９０の上部に備えられる第２スプリング連結体２９１の上部を嵌合保持する円形孔を有している。
【００８７】
前記強制加圧片２３３は、前記第１スイッチ操作部２３１と第２スイッチ操作部２３２との両側の側壁を縦長の長方板として垂設した垂設部分を該強制加圧片２３３としている。この強制加圧片２３３は操作子２２０の下面中央両側に該操作子２２０の一部として垂設されている。このため、該操作子２２０と一体に回動する。そして、図１５に後述するように、該操作子２２０がオフ操作される該操作子２２０の操作力を前記可動片２８２，２９２が受ける。これにより、該可動片２８２，２９２の接点部２８６，２９６が、前記固定端子２８３，２９３の接点部２８７，２９７より離間される方向に強制加圧する構成としている。
【００８８】
前記電源スイッチ機構２４０は、第１電源スイッチ機構２８０と第２電源スイッチ機構２９０との２回路に対応して並列される２連のスイッチ構成を有している。
【００８９】
上述の第１電源スイッチ機構２８０は、第１スプリング連結体２８１と、可動片２８２と、固定端子２８３と、共通固定端子２８４とを備えて構成される。
【００９０】
第１スプリング連結体２８１は、細径のコイルスプリングを用いる。この第１スプリング連結体２８１は上端部を上述の第１スイッチ操作部２３１に嵌合させて連結している。下端部は後述する可動片２８２の上向きに突出する嵌合突起２８５を該コイルスプリングの孔内に差し込んで嵌合させることにより可動片２８２に抜止めして連結している。この第１スプリング連結体２８１は組み立てられることによって軸方向中央部が一方に若干屈曲されたくの字形となる。
【００９１】
上述の可動片２８２は導電性金属板をＬ形状に屈曲し、該Ｌ形の屈曲部分を回動支点部として後述する共通固定端子２８４に回動可能に支持されている。そして、可動片２８２の中間部に上述した嵌合突起２８５を切り起して形成し、Ｌ形水平片側の先端部に導電性の接点部２８６を固着している。
【００９２】
固定端子２８３は導電性金属板を逆Ｌ形状に屈曲し、その上面に導電性の接点部２８７を固着している。そして、該固定端子２８３の逆Ｌ形垂直片側をハウジング２１０の端子取付孔２１６に差し込んで取り付ける。この際、該接点部２８７はハウジング２１０の底面に上向きに配置され、その上方の可動片２８２の接点部２８６と対向させている。
【００９３】
同じく、共通固定端子２８４は導電性金属板を逆Ｌ形状に屈曲し、その上面に可動片支持部２８８を切り起こして形成している。そして、逆Ｌ形垂直片側をハウジング２１０の端子取付孔２１６に差し込んで取り付ける。
【００９４】
ここで第１スプリング連結体２８１は、くの字形に第１スイッチ操作部２３１と可動片２８２との上下間に連結されており、第１スイッチ操作部２３１を形成している操作子２２０が回動することにより、その下方の回動軌跡上で第１スプリング連結体２８１を支持している上部での向きが一方と他方では異なり、角度差を生じさせることで該第１スプリング連結体２８１の中間部が反転して下方の可動片２８２に対するスイッチ操作力を与えるようにしている。
【００９５】
また、第１スプリング連結体２８１を用いることにより、弾性に富み、軸方向だけでなく、その交差方向に対しても柔軟な屈曲性を有し、スイッチのように繰り返しオンオフさせるのに必要な弾性変形を容易に得ることができる。したがって、操作子２２０の回動に追従可能な柔軟性に富む第１スプリング連結体２８１を用いることにより、上述の角度差に容易に追従して下方の可動片２８２をオン方向とオフ方向に円滑に回動させることができる。
【００９６】
さらに、ハウジング２１０内において、電源リセット機構２７０は操作子２２０の揺動操作方向の一方Ｆ１であるオン側に配置される。第１電源スイッチ機構２８０は操作子２２０の揺動操作方向の他方Ｆ２であるオフ側に配置されている。このため、操作子２２０をオン側に操作した際は、該操作子２２０の操作方向で前記電源リセット機構２７０のソレノイド２７１に磁性片２７２を吸着保持させてロックする構成となっている。このため、操作子２２０のオン操作力は直接電源リセット機構２７０に加わり、操作力伝達用の中継部材を省略した構成が可能になる。
【００９７】
また、第１電源スイッチ機構２８０と電源リセット機構２７０とをハウジング２１０内で操作子２２０のオン側とオフ側、つまり操作子２２０の揺動操作方向の一方Ｆ１と他方Ｆ２に分けて配置することができるため、これらの機構をハウジング２１０の中央部に集中させない分散させた配置構成にできる。このため、ハウジング２１０の幅方向を狭めてスリム化したスイッチ２００を構成できる。
【００９８】
第２電源スイッチ機構２９０は、前記第１電源スイッチ機構２８０と同構成を有している。さらに、１つの操作子２２０の操作力を、第１電源スイッチ機構２８０と第２電源スイッチ機構２９０とが同時に受ける並列配置構成である。このため、第２電源スイッチ機構２９０は第１電源スイッチ機構２８０と同機能を有して同時にオンオフ操作が実行される。
【００９９】
このため、第２電源スイッチ機構２９０は第１電源スイッチ機構２８０の各部品と同一の部品が配置される。よって、同一の構成部品であることから第１スプリング連結体２９１と可動片２９２と固定端子２９３と共通固定端子２９４と各接点部２９６，２９７等を備えた第２電源スイッチ機構２９０の同一の説明は既に第１電源スイッチ機構２８０で述べているので省略する。
【０１００】
これらの第１電源スイッチ機構２８０と第２電源スイッチ機構２９０とはハウジング２１０内において図１２に示すように、第１仕切りプレート２１８により仕切られている。このため、各スイッチ機構２８０，２９０はハウジング２１０の内壁と仕切りプレート２１８とによって１つの区画されたスイッチ操作空間を確保している。
【０１０１】
さらに、前記仕切りプレート２１８は上面が操作子２２０の一方Ｆ１と他方Ｆ２での回動を規制するストッパ面となり、図１３ｂに示すように、該操作子２２０の一方と対向する仕切りプレート２１８の上面にオンストッパ面２１８ａを傾斜形成している。さらに、操作子２２０の他方と対向する仕切りプレート２１８の上面にオフストッパ面２１８ｂを傾斜形成している。
【０１０２】
復帰バネ２６０は、コイルスプリングにより構成される。この復帰バネ２６０は通常、図１３（Ａ）に示すように、伸長して可動磁性片２７２を介して操作子２２０を押し上げてオフ方向に回動させた状態にある。
【０１０３】
上述の電源リセット機構２７０は、ソレノイド２７１と可動磁性片２７２と永久磁石２７３と固定磁性片（ヨーク）２７３ａとリセット信号入力端子２７４とソレノイドケース２７５とを備えて構成される。
【０１０４】
ソレノイド２７１は外周面にコイルを巻回して上下方向に開口する挿通部を備え、この挿通部に後述する可動磁性片２７２を上下方向に挿通可能に構成している。さらに、挿通した可動磁性片２７２の内端部側に、永久磁石２７３と固定磁性片２７３ａとリセット信号入力端子２７４とが対向して配置されている。
【０１０５】
上述の可動磁性片２７２はＴ字形を有し、このＴ字形部分の下部側が平行する２列でソレノイド２７１の２列に平行する挿通部に挿通自由に設けられている。そして、この可動磁性片２７２のＴ字形の下面段差部分とソレノイド２７１のコイル側上端面との上下間に、図１２に示すように前記復帰バネ２６０を上下方向に圧縮させた状態に介在させている。
【０１０６】
そして、操作子２２０がオン操作されると、押子２２５を介して可動磁性片２７２は下向きの押下力を受け、復帰バネ２６０の付勢力に抗して可動磁性片２７２は下動する。そして、可動磁性片２７２が下端に至ると、その下方に対向する直方体の永久磁石２７３と、その永久磁石２７３を中央に挟んで両側に配設されるＵ字形の固定磁性片２７３ａとにより吸着保持される。この吸着保持作用により、電源オン状態が保持される。この電源オン状態でソレノイド２７１に対して磁気解除作用を与えると、その吸着を解除して電源オフする解除機能を有している。
【０１０７】
図１３（Ａ）は第１電源スイッチ機構２８０のオフ状態を示し、図１３（Ｂ）はオン状態を示している。通常、図１３（Ａ）に示すように、第１電源スイッチ機構２８０がオフ状態の場合、復帰バネ２６０が伸長し、この復帰バネ２６０に付勢された可動磁性片２７２の上端部が押子２２５を介して操作子２２０を押し上げ、操作子２２０をオフ位置に付勢支持した状態にある。このとき、操作子２２０はオフ方向に回動した状態にある。このオフ状態では第１スプリング連結体２８１が電源オフ方向に弓なりに屈曲し、Ｌ形状の可動片２８２は屈曲部分を回動支点にオフ方向に回動し、該可動片２８２の接点部２８６が固定端子２８３の接点部２８７と離間した電源オフ状態にある。
【０１０８】
このように構成されたスイッチ２００がオン操作された場合、図１３（Ｂ）に示すように、操作子２２０がオン方向に押下されると、この操作子２２０の押子２２５が可動磁性片２７２を復帰バネ２６０の付勢力に抗して押し下げる。これにより、可動磁性片２７２は下動し、ソレノイド２７１の挿通部に挿通され、その下方に対向する永久磁石２７３及び固定磁性片２７３ａの磁気吸引作用を受けて吸着される。このとき、復帰バネ２６０は圧縮されており、その圧縮状態のまま磁気吸着作用によりオン状態を保持する。また、この操作子２２０をオン操作した際に第１電源スイッチ機構２８０の第１スプリング連結体２８１の軸方向中央部が逆向きに反り返り、その反力で可動片２８２が回動し、接点部２８６，２８７を接触させて電源をオンする。
【０１０９】
なお、第２電源スイッチ機構２９０も第１電源スイッチ機構２８０の動きと同じ動きとなり、同期してオン操作される。
【０１１０】
この電源オン状態は制御部からソレノイド２７１に対してリセット信号が入力されるまでオン状態が保持される。
【０１１１】
このように構成されたスイッチは、第１電源スイッチ機構２８０と第２電源スイッチ機構２９０とからなる電源スイッチ機構２４０と、電源リセット機構２７０とがハウジング２１０内で一方Ｆ１と他方Ｆ２の操作方向に分けられているため、これらの機構をハウジング２１０の中央部に集中させない分散させた配置構成にできる。このため、ハウジングの幅方向を狭めてスイッチ２００をスリム化して製作することができる。
【０１１２】
さらに、電源リセット機構２７０側では構成部品を積層して構成できるため積層方向から見た平面的な配置スペースを小さくできる。このため、電源リセット機構２７０の占有面積が小さいコンパクトな配置構成が可能になり、確実にスイッチの小型化が可能になる。
【０１１３】
また、電源スイッチ機構２４０側では可動片２８２，２９２を例えばＬ形状などに折曲して配置するため、折曲付近を回動支点とする該可動片２８２，２９２は略半径長さの回動軌跡となり、該可動片の回動占有スペースを小さくすることが可能となる。これにより、可動片自体をハウジングにコンパクトに内蔵してハウジング２１０の縮小化が図れ、より一層スイッチの小型化を図ることができる。
【０１１４】
図１４は第１電源スイッチ機構２８０を例にとって示すワイピング処理動作を示している。図１４（Ａ）は可動片と固定端子との接点部間におけるワイピング前の初期接触状態を示すスイッチの縦断面図、図１４（Ｂ）は可動片と固定端子との接点部間におけるワイピング後の接触状態を示すスイッチの縦断面図、図１４（Ｃ）は可動片が滑り移動した状態を示すスイッチの縦断面図である。
【０１１５】
前記第１電源スイッチ機構２８０に備えられている可動片２８２は、前記操作子２２０のオン操作に連動して該可動片２８２の接点部２８６が前記固定端子２８３の接点部２８７に接触する初期接触時（図１４（Ａ）参照）に、該接点部２８６，２８７の接離方向と略直交する方向に前記可動片２８２を滑り移動させる変位支持部２８９により回動自由に支持されている。
【０１１６】
この変位支持部２８９は、可動片２８２の両側を挟むようにして平行して起立させた両側の回動支持片２８９ａでＬ形状を有する可動片の水平片側を挟むようにして該可動片２８２を回動可能に支持している。また、可動片２８２が回動自由に支持される両側は凹溝状に切り欠き、かつ水平片側に若干長く切り欠いて該可動片２８２を水平方向にスライド許容して構成している。
【０１１７】
また、接点部２８６，２８７が接触した状態では、可動片のＬ形水平片の先端側が下向きに傾斜した傾斜姿勢となる傾斜角度で支持して可動片２８２の滑り移動を促進している。これにより、操作子をオン操作した際は可動片２８２が回動するに伴って該可動片２８２が水平方向に若干滑り移動（図１４（Ｂ）参照）する。
【０１１８】
このとき、可動片２８２の接点部２８６が固定端子２８３の接点部２８７に一定長さ摺接（図１４（Ｃ）参照）する。いわゆるワイピング動作が実行される。このワイピング動作により接点部間は常に溶着回避性能が得られる。
【０１１９】
図１５は第１電源スイッチ機構２８０を例にとって示す溶着回避動作を示している。図１５（Ａ）は接点部が溶着した溶着解離前の状態を示すスイッチの縦断面図、図１５（Ｂ）は操作子により強制的に溶着を解離した溶着解離後の状態を示すスイッチの縦断面図、図１５（Ｃ）は可動片が溶着時から溶着解離するまでの状態を合成して示すスイッチの縦断面図である。
【０１２０】
前記操作子２２０には、前記した強制加圧片２３３が備えられており、該操作子２２０がオフ操作される該操作子２２０の操作力を受けて前記可動片２８２を、該可動片２８２の接点部２８６が前記固定端子２８３の接点部２８７より離間される方向に強制加圧する。
【０１２１】
この強制加圧片２３３は、図１５（Ａ）に示すように、接点部２８６，２８７が溶着している際、操作子２２０をオフ方向に操作し始めると、接点部２８６，２８７の溶着作用により、操作子２２０は回動抵抗が強まり、円滑な回動が規制されてオフ操作できない。この場合に、図１５（Ｂ）に示すように、操作子２２０をさらに強くオフ操作方向に押し込むと、強制加圧片２３３が可動片２８２のＬ形垂直片側をオフ方向に強く押して強制加圧することができる。これにより、接点部は離間し、溶着しているにかかわらず強制的に離間させて電源をオフ操作することができる。
【０１２２】
この発明の構成と、上述の一実施例の構成との対応において、
この発明の電源保持解除機構は、実施例の電源リセット機構１７０，２７０に対応し、
強制加圧部は、強制加圧片２３３に対応し、
保持部は、永久磁石１７３，２７３及び固定磁性片１７３ａ，２７３ａに対応し、
解除部は、ソレノイド１７１，２７１に対応し、
弾性体は、スプリング連結体１８１，１９１，２８１，２９１に対応するも、この発明は請求項に示される技術思想に基づいて応用することができ、上述の実施例の構成のみに限定されるものではない。
【符号の説明】
【０１２３】
１００，２００…スイッチ
１２０，２２０…操作子
１４０，１８０，１９０，２４０，２８０，２９０…電源スイッチ機構
１６０，２６０…復帰バネ
１７１，２７１…ソレノイド
１７２，２７２…可動磁性片
１７３，２７３…永久磁石
１８１，１９１，２８１，２９１…スプリング連結体
２３３…強制加圧片
２８９…変位支持部
Ｆ１…一方（オン側）
Ｆ２…他方（オフ側）
【図１】
2012048883.tif 000003
【図２】
2012048883.tif 000004
【図３】
2012048883.tif 000005
【図４】
2012048883.tif 000006
【図５】
2012048883.tif 000007
【図６】
2012048883.tif 000008
【図７】
2012048883.tif 000009
【図８】
2012048883.tif 000010
【図９】
2012048883.tif 000011
【図１０】
2012048883.tif 000012
【図１１】
2012048883.tif 000013
【図１２】
2012048883.tif 000014
【図１３】
2012048883.tif 000015
【図１４】
2012048883.tif 000016
【図１５】
2012048883.tif 000017
【手続補正書】
【提出日】平成22年10月6日(2010.10.6)
【手続補正１】
【補正対象書類名】図面
【補正対象項目名】図１
【補正方法】変更
【補正の内容】
【図１】
2012048883.tif 000018
【手続補正２】
【補正対象書類名】図面
【補正対象項目名】図５
【補正方法】変更
【補正の内容】
【図５】
2012048883.tif 000019
【手続補正３】
【補正対象書類名】図面
【補正対象項目名】図９
【補正方法】変更
【補正の内容】
【図９】
2012048883.tif 000020
【手続補正書】
【提出日】平成23年8月24日(2011.8.24)
【手続補正１】
【補正対象書類名】明細書
【補正対象項目名】００１０
【補正方法】変更
【補正の内容】
【００１０】
この発明の態様として、前記復帰バネと前記電源保持解除機構の前記保持部と前記解除部とを積層して構成し、前記電源スイッチ機構の屈曲部分を有する可動片を該屈曲部分を支点として前記操作子の回動方向に回動自由に支持させて配置し、前記操作子に配置された回動操作体と前記可動片との間に該操作子の前記揺動操作に基づいて反転する弾性体を連結することができる。
【手続補正２】
【補正対象書類名】明細書
【補正対象項目名】００６９
【補正方法】変更
【補正の内容】
【００６９】
このＨＤＤ７２０へのデータの移し替えが完結すると、ＣＰＵ７１０はデータの保護を優先し、確保できたことによりスイッチ１００の電源リセット機構１７０に対して電源オフ信号を出力する。これに基づいてスイッチ１００には永久磁石１７３の磁力より大きい電磁解除力がソレノイド１７１に与えられ、該ソレノイド１７１は永久磁石１７３及び固定磁性片１７３ａに吸着されていた可動磁性片１７２の規制を解除し、可動磁性片１７２は自由状態となり、復帰バネ１６０が伸長する付勢力を受けて可動磁性片１７２は回動操作体１３０を押し上げ、操作子１２０をオフ位置に回動させるとともに電源スイッチ機構１４０の接点部１８６，１８７、１９６，１９７を離間させ、電源をオフさせる。このようにして、操作子１２０がオフ操作された後はＣＰＵ７１０がデータ処理の完結を確認したことに基づいて自動的に電源をオフする。
【手続補正３】
【補正対象書類名】特許請求の範囲
【補正対象項目名】全文
【補正方法】変更
【補正の内容】
【特許請求の範囲】
【請求項１】
ハウジングに支持されて一方と他方に揺動操作される操作子と、
前記操作子が前記一方に揺動操作されると前記ハウジング内で対向する可動片と固定端子との接点部を接触させる電源スイッチ機構と、
前記操作子が前記他方に揺動操作されると揺動操作方向に前記操作子を付勢する復帰バネと、
前記操作子が前記一方に揺動操作されることに従い前記復帰バネを反付勢方向に規制して前記可動片と固定端子との前記接点部の接触状態を保持する保持部と前記保持部によって保持された前記接触状態を解除させる解除部とで構成される電源保持解除機構と、
を備えたスイッチであって、
前記電源スイッチ機構と前記復帰バネと電源保持解除機構とを前記ハウジングの内部空間に配置し、さらに、
前記電源保持解除機構を前記操作子の揺動操作方向の前記一方側に配置し、前記電源スイッチ機構を前記操作子の揺動操作方向の前記他方側に配置して構成したスイッチ。
【請求項２】
前記復帰バネと前記電源保持解除機構の前記保持部と前記解除部とを積層して構成し、
前記電源スイッチ機構の屈曲部分を有する可動片を該屈曲部分を支点として前記操作子の回動方向に回動自由に支持させて配置し、
前記操作子に配置された回動操作体と前記可動片との間に該操作子の前記揺動操作に基づいて反転する弾性体を連結した
請求項１に記載のスイッチ。
【請求項３】
前記電源スイッチ機構は、
前記可動片の接点部が前記固定端子の接点部に接触する初期接触時に、該接点部の接離方向と略直交する方向に前記可動片を滑り移動させる変位支持部を備えた
請求項１または２に記載のスイッチ。
【請求項４】
前記操作子には、
該操作子が前記他方に揺動操作される該操作子の操作力を受けて前記可動片の接点部が前記固定端子の接点部より離間される方向に前記可動片を強制加圧する強制加圧部を備えて構成した
請求項１、２または３に記載のスイッチ。
【請求項５】
請求項１〜４のいずれか１項に記載のスイッチを備えた電子機器。